【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
モバイルデバイスと関連づけられた通信を容易にする方法であって、
前記モバイルデバイスと関連づけられたローカルコンテンツレーティング優先度を設定することと、
２つ以上のコンテンツを備える少なくとも１つのメッセージを少なくとも１つのコンテンツプロバイダから受信することと、各々のコンテンツは、１つのコンテンツレーティングに関連づけられる、
前記ローカルコンテンツレーティング優先度および少なくとも１つのコンテンツの前記１つのコンテンツレーティングに少なくとも部分的に基づいて、前記少なくとも１つのコンテンツへのアクセスを制限することと、
前記モバイルデバイス上のセキュリティが確保されたコンテンツフォルダに、前記制限された少なくとも１つのコンテンツを記憶することと、
前記モバイルデバイスのユーザが、前記セキュリティが確保されたコンテンツフォルダに関連する前記ユーザからの有効セキュリティコードを受信することに応答して、前記セキュリティが確保されたコンテンツフォルダにおける前記制限された少なくとも１つのコンテンツにアクセスすることを許可することと、
前記モバイルデバイスの前記ユーザに、制限されていない少なくとも１つのコンテンツを提示することと、
を備える、方法。
【請求項２】
前記コンテンツレーティングは、予め定義されたコンテンツレーティング基準に少なくとも部分的に基づいて決定される、請求項１に記載の方法。
【請求項３】
コンテンツレーティング優先度パラメータにアクセスすること、
をさらに備え、前記設定することは、予め定義されたコンテンツレーティング基準に少なくとも部分的に基づいて前記ローカルコンテンツレーティング優先度を設定する、請求項１に記載の方法。
【請求項４】
前記セキュリティが確保されたコンテンツフォルダから少なくとも１つのその他のコンテンツを受信すること、
をさらに備え、前記少なくとも１つのその他のコンテンツは、前記ローカルコンテンツレーティング優先度及び前記少なくとも１つのその他のコンテンツと関連づけられた少なくとも１つのその他のコンテンツレーティングに少なくとも部分的に基づいてフィルタリングされて排除され、前記セキュリティが確保されたコンテンツフォルダに格納され、前記少なくとも１つのその他のコンテンツ及び前記少なくとも１つのその他のコンテンツレーティングは、少なくとも１つのその他のメッセージ内に含められる、請求項１に記載の方法。
【請求項５】
２つ以上のコンテンツとコンテンツレーティングとを備える前記少なくとも１つのメッセージをコアネットワークを介して前記少なくとも１つのコンテンツプロバイダから受信すること、
をさらに備える、請求項１に記載の方法。
【請求項６】
前記少なくとも１つのコンテンツを制限することは、
前記少なくとも１つのコンテンツを評価することと、
前記少なくとも１つのコンテンツレーティングが前記ローカルコンテンツレーティング優先度の値よりも高い値を有する場合に前記少なくとも１つのコンテンツをフィルタリングして排除すること、
をさらに備える請求項５に記載の方法。
【請求項７】
コンテンツレーティング優先度と前記モバイルデバイスと関連づけられた前記コンテンツレーティング優先度を設定することに関連するコマンドとを備えるメッセージをコアネットワークに送信することをさらに備え、前記メッセージは、修正されたショートメッセージサービス（ＳＭＳ）メッセージであり、前記コンテンツレーティング優先度は、追加のショートメッセージサービス（ＳＭＳ）レーティング優先度パラメータ又は追加の拡張メッセージングサービス（ＥＭＳ）レーティング優先度ヘッダのうちの少なくとも１つに含められ、前記コンテンツレーティング優先度は、最高レベルのコンテンツフィルタリングからコンテンツのフィルタリングなしまでの範囲内の値である、請求項１に記載の方法。
【請求項８】
コンテンツレーティング優先度に関連する問い合わせとコマンドとを備えるメッセージをコアネットワークに送信することと、前記メッセージは、修正されたショートメッセージサービス（ＳＭＳ）メッセージであり、前記問い合わせは、追加のショートメッセージサービス（ＳＭＳ）問い合わせパラメータ又は追加の拡張メッセージングサービス（ＥＭＳ）問い合わせヘッダのうちの少なくとも１つに含められる、
前記問い合わせに少なくとも部分的に基づいて前記コンテンツレーティング優先度の現在値に関して前記コアネットワークに問い合わせることと、
前記問い合わせに応答して前記コンテンツレーティング優先度の前記現在値を受信することと
をさらに備える、請求項１に記載の方法。
【請求項９】
前記少なくとも１つのメッセージは、コアネットワークを介して前記少なくとも１つのコンテンツプロバイダから受信され、前記少なくとも１つのメッセージは、追加のショートメッセージサービス（ＳＭＳ）レーティングパラメータ、追加の拡張メッセージングサービス（ＥＭＳ）レーティングヘッダ、又は前記少なくとも１つのメッセージの本体内のレーティングフィールドのうちの少なくとも１つに含められる前記少なくとも１つのコンテンツレーティングを備える修正されたショートメッセージサービス（ＳＭＳ）メッセージであり、前記レーティングフィールドは、１つ以上のキーワードによって特定される、請求項１に記載の方法。
【請求項１０】
少なくとも１つのレーティングされていないコンテンツを備える少なくとも１つのその他のメッセージを少なくとも１つのその他のコンテンツプロバイダから受信することと、
前記少なくとも１つのレーティングされていないコンテンツを評価することと、
前記少なくとも１つのレーティングされていないコンテンツのコンテンツレーティングを決定することと、
前記決定されたコンテンツレーティングが前記ローカルコンテンツレーティング優先度の値よりも高い値を有する場合に前記少なくとも１つのレーティングされていないコンテンツをフィルタリングして排除すること、又は
前記決定されたコンテンツレーティングが前記ローカルコンテンツレーティング優先度の前記値と同じであるか又はより低い値を有する場合に前記少なくとも１つのレーティングされていないコンテンツを提示すること、
のうちの少なくとも１つと、
をさらに備える請求項１に記載の方法。
【請求項１１】
少なくとも１つのレーティングされていないコンテンツを備える少なくとも１つのその他のメッセージを少なくとも１つのその他のコンテンツプロバイダから受信することと、
前記モバイルデバイスと関連づけられた少なくとも１つの連絡先リストを再検討することと、
前記少なくとも１つのその他のコンテンツプロバイダが前記少なくとも１つの連絡先リストに含まれていない場合に前記少なくとも１つのレーティングされていないコンテンツをフィルタリングして排除すること、又は
前記少なくとも１つのその他のコンテンツプロバイダが前記少なくとも１つの連絡先リストに含まれている場合に前記少なくとも１つのレーティングされていないコンテンツを提示すること、
のうちの少なくとも１つと、
をさらに備える請求項１に記載の方法。
【請求項１２】
モバイルデバイスと関連づけられた通信を容易にする無線通信装置であって、
前記モバイルデバイスと関連づけられたローカルコンテンツレーティング優先度を設定するための手段と、
２つ以上のコンテンツを備える少なくとも１つのメッセージを少なくとも１つのコンテンツプロバイダから受信するための手段と、各々のコンテンツは１つのコンテンツレーティングに関連づけられる、
前記ローカルコンテンツレーティング優先度および少なくとも１つのコンテンツの前記１つのコンテンツレーティングに少なくとも部分的に基づいて、前記少なくとも１つのコンテンツへのアクセスを制限するための手段と、
前記モバイルデバイス上のセキュリティが確保されたコンテンツフォルダに、前記制限された少なくとも１つのコンテンツを記憶するための手段と、
前記モバイルデバイスのユーザが、前記セキュリティが確保されたコンテンツフォルダに関連する前記ユーザからの有効セキュリティコードを受信することに応答して、前記セキュリティが確保されたコンテンツフォルダにおける前記制限された少なくとも１つのコンテンツにアクセスすることを許可するための手段と、
前記モバイルデバイスの前記ユーザに、制限されていない少なくとも１つのコンテンツを提示するための手段と、
を備える、無線通信装置。
【請求項１３】
コンテンツレーティング優先度パラメータにアクセスするための手段と、
予め定義されたコンテンツレーティング基準に少なくとも部分的に基づいて前記ローカルコンテンツレーティング優先度を設定するための手段と、
をさらに備える、請求項１２に記載の無線通信装置。
【請求項１４】
実行されたときに請求項１〜１１のいずれか一項に記載の方法を少なくとも１つのコンピュータに実行させるためのコードを備える、コンピュータプログラム。
【手続補正２】
【補正対象書類名】明細書
【補正対象項目名】０１４７
【補正方法】変更
【補正の内容】
【０１４７】
上述されていることは、１つ以上の実施形態の例を含む。当然のことであるが、上記の実施形態を説明することを目的としてコンポーネント又は方法の考えられるあらゆる組み合わせを説明することは可能ではないが、様々な実施形態の数多くのさらなる組み合わせ及び置換が可能であることを当業者は認識することができる。従って、説明される実施形態は、添付された請求項の精神及び適用範囲内にあるあらゆる該変更、修正及び変形を包含することが意図される。さらに、発明を実施するための形態又は請求項の範囲において表現“含む”が用いられている限りにおいて、該表現は、“備える”という表現が請求項において移行語として採用されたときの解釈と同様の包含性を有することが意図される。
以下に、本願出願の当初の特許請求の範囲に記載された発明を付記する。
［Ｃ１］
モバイルデバイスと関連づけられた通信を容易にする方法であって、
前記モバイルデバイスと関連づけられた制御レーティング優先度を設定することと、
少なくとも１つのコンテンツを備える少なくとも１つのメッセージを少なくとも１つのコンテンツプロバイダから受信すること、とを備え、前記少なくとも1つのメッセージは、前記少なくとも1つのコンテンツと関連づけられた少なくとも１つのコンテンツレーティングを備え、前記少なくとも1つのコンテンツは、前記制御レーティング優先度及び前記少なくとも1つのコンテンツレーティングに少なくとも部分的に基づいてフィルタリングされる、モバイルデバイスと関連づけられた通信を容易にする方法。
［Ｃ２］
前記少なくとも1つのコンテンツレーティングは、予め定義されたコンテンツレーティング基準に少なくとも部分的に基づいて決定されるＣ１に記載の方法。
［Ｃ３］
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ２に記載の方法。
［Ｃ４］
制御レーティング優先度メニューにおける前記制御レーティング優先度に関連するセキュリティコードを受信することと、
制御レーティング優先度パラメータにアクセスすることと、
予め定義された制御レーティング基準に少なくとも部分的に基づいて前記制御レーティング優先度を設定すること、とをさらに備えるＣ１に記載の方法。
［Ｃ５］
セキュリティが確保されたコンテンツフォルダに関連するセキュリティコードを受信することと、
前記受信されたセキュリティコードが有効である場合に前記セキュリティが確保されたコンテンツフォルダにアクセスすることと、
前記セキュリティが確保されたコンテンツフォルダから少なくとも１つのその他のコンテンツを受信すること、とをさらに備え、前記少なくとも１つのその他のコンテンツは、前記コンテンツレーティング優先度及び前記少なくとも１つのその他のコンテンツと関連づけられた少なくとも1つのその他のコンテンツレーティングに少なくとも部分的に基づいてフィルタリングされて排除され、前記セキュリティが確保されたコンテンツフォルダに格納され、前記少なくとも1つのその他のコンテンツ及び前記少なくとも1つのその他のコンテンツレーティングは、少なくとも１つのその他のメッセージ内に含められるＣ１に記載の方法。
［Ｃ６］
前記少なくとも1つのコンテンツと前記少なくとも1つのコンテンツレーティングとを備える前記少なくとも1つのメッセージをコアネットワークを介して前記少なくとも1つのコンテンツプロバイダから受信することと、
前記コンテンツレーティング優先度及び前記少なくとも1つのコンテンツレーティングに少なくとも部分的に基づいて前記少なくとも1つのコンテンツをフィルタリングすること、とをさらに備えるＣ１に記載の方法。
［Ｃ７］
前記少なくとも1つのコンテンツをフィルタリングすることは、
前記少なくとも1つのコンテンツを評価することと、
前記少なくとも1つのコンテンツレーティングが前記コンテンツレーティング優先度の値よりも高い値を有する場合に前記少なくとも1つのコンテンツをフィルタリングして排除すること、又は
前記少なくとも1つのコンテンツレーティングが前記コンテンツレーティング優先度の前記値と同じであるか又はより低い値を有する場合に前記少なくとも1つのコンテンツを提示することのうちの少なくとも１つと、をさらに備えるＣ６に記載の方法。
［Ｃ８］
前記制御レーティング優先度と前記モバイルデバイスと関連づけられた前記制御レーティング優先度を設定することに関連するコマンドとを備えるメッセージをコアネットワークに送信することをさらに備え、前記メッセージは、修正されたショートメッセージサービス（ＳＭＳ）メッセージであり、前記制御レーティング優先度は、追加のショートメッセージサービス（ＳＭＳ）レーティング優先度パラメータ又は追加の拡張メッセージングサービス（ＥＭＳ）レーティング優先度ヘッダのうちの少なくとも１つに含められ、前記制御レーティング優先度は、最高レベルのコンテンツフィルタリングからコンテンツのフィルタリングなしまでの範囲内の値であるＣ１に記載の方法。
［Ｃ９］
前記制御レーティング優先度に関連する問い合わせとコマンドとを備えるメッセージをコアネットワークに送信することであって、前記メッセージは、修正されたショートメッセージサービス（ＳＭＳ）メッセージであり、前記問い合わせは、追加のショートメッセージサービス（ＳＭＳ）問い合わせパラメータ又は追加の拡張メッセージングサービス（ＥＭＳ）問い合わせヘッダのうちの少なくとも１つに含められることと、
前記問い合わせに少なくとも部分的に基づいて前記制御レーティング優先度の現在値に関して前記コアネットワークに問い合わせることと、
前記問い合わせに応答して前記制御レーティング優先度の前記現在値を受信すること、とをさらに備えるＣ１に記載の方法。
［Ｃ１０］
前記少なくとも１つのメッセージは、コアネットワークを介して前記少なくとも１つのコンテンツプロバイダから受信され、前記少なくとも１つのメッセージは、追加のショートメッセージサービス（ＳＭＳ）レーティングパラメータ、追加の拡張メッセージングサービス（ＥＭＳ）レーティングヘッダ、又は前記少なくとも１つのメッセージの本体内のレーティングフィールドのうちの少なくとも１つに含められる前記少なくとも１つのコンテンツレーティングを備える修正されたショートメッセージサービス（ＳＭＳ）メッセージであり、前記レーティングフィールドは、１つ以上のキーワードによって特定されるＣ１に記載の方法。
［Ｃ１１］
少なくとも１つのレーティングされていないコンテンツを備える少なくとも１つのその他のメッセージを少なくとも１つのその他のコンテンツプロバイダから受信することと、
前記少なくとも１つのレーティングされていないコンテンツを評価することと、
前記少なくとも１つのレーティングされていないコンテンツのコンテンツレーティングを決定することと、
前記決定されたコンテンツレーティングが前記コンテンツレーティング優先度の値よりも高い値を有する場合に前記少なくとも１つのレーティングされていないコンテンツをフィルタリングして排除すること、又は
前記決定されたコンテンツレーティングが前記コンテンツレーティング優先度の前記値と同じであるか又はより低い値を有する場合に前記少なくとも１つのレーティングされていないコンテンツを提示することのうちの少なくとも１つと、をさらに備えるＣ１に記載の方法。
［Ｃ１２］
少なくとも１つのレーティングされていないコンテンツを備える少なくとも１つのその他のメッセージを少なくとも１つのその他のコンテンツプロバイダから受信することと、
前記モバイルデバイスと関連づけられた少なくとも１つの連絡先リストを再検討することと、
前記少なくともその他のコンテンツプロバイダが前記少なくとも１つの連絡先リストに含まれていない場合に前記少なくとも１つのレーティングされていないコンテンツをフィルタリングして排除すること、又は
前記少なくとも１つのその他のコンテンツプロバイダが前記少なくとも１つの連絡先リストに含まれている場合に前記少なくとも１つのレーティングされていないコンテンツを提示することのうちの少なくとも１つと、をさらに備えるＣ１に記載の方法。
［Ｃ１３］
無線通信装置であって、
モバイルデバイスと関連づけられた制御レーティング優先度の確立、及び少なくとも１つのコンテンツプロバイダからの少なくとも１つのコンテンツを備える少なくとも１つのメッセージの受信に関連する命令を保持するメモリと、
前記メモリ内に保持される前記命令を実行するように構成された、前記メモリに結合されたプロセッサと、を備え、前記少なくとも１つのメッセージは、前記少なくとも１つのコンテンツと関連づけられた少なくとも１つのコンテンツレーティングを備え、前記少なくとも１つのコンテンツは、前記制御レーティング優先度及び前記少なくとも１つのコンテンツレーティングに少なくとも部分的に基づいてフィルタリングされる、無線通信装置。
［Ｃ１４］
前記少なくとも１つのコンテンツレーティングは、予め定義されたコンテンツレーティング基準に少なくとも部分的に基づいて決定され、前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ１３に記載の無線通信装置。
［Ｃ１５］
前記メモリは、
制御レーティング優先度メニューにおける前記制御レーティング優先度に関連するセキュリティコードの受信、
制御レーティング優先度パラメータへのアクセス、及び
予め定義された制御レーティング基準に少なくとも部分的に基づく前記制御レーティング優先度の確立に関連する命令を保持するＣ１３に記載の無線通信装置。
［Ｃ１６］
前記メモリは、
セキュリティが確保されたコンテンツフォルダに関連するセキュリティコードの受信、
前記受信されたセキュリティコードが有効である場合における前記セキュリティが確保されたコンテンツフォルダへのアクセス、及び
前記セキュリティが確保されたコンテンツフォルダからの少なくとも１つのその他のコンテンツの受信に関連する命令をさらに保持し、前記少なくとも１つのその他のコンテンツは、前記コンテンツレーティング優先度及び前記少なくとも１つのその他のコンテンツと関連づけられた少なくとも1つのその他のコンテンツレーティングに少なくとも部分的に基づいてフィルタリングされて排除され、前記セキュリティが確保されたコンテンツフォルダに格納され、前記少なくとも1つのその他のコンテンツ及び前記少なくとも1つのその他のコンテンツレーティングは、少なくとも１つのその他のメッセージ内に含められるＣ１３に記載の無線通信装置。
［Ｃ１７］
前記メモリは、
前記少なくとも1つのコンテンツプロバイダからの前記少なくとも1つのコンテンツと前記少なくとも1つのコンテンツレーティングとを備える前記少なくとも1つのメッセージの受信、及び
前記コンテンツレーティング優先度及び前記少なくとも1つのコンテンツレーティングに少なくとも部分的に基づく前記少なくとも1つのコンテンツのフィルタリングに関連する命令をさらに保持するＣ１３に記載の無線通信装置。
［Ｃ１８］
モバイルデバイスと関連づけられた通信を容易にする無線通信装置であって、
前記モバイルデバイスと関連づけられた制御レーティング優先度を設定するための手段と、
少なくとも１つのコンテンツを備える少なくとも１つのメッセージを少なくとも１つのコンテンツプロバイダから受信するための手段と、を備え、前記少なくとも１つのメッセージは、前記少なくとも１つのコンテンツと関連づけられた少なくとも１つのコンテンツレーティングを備え、前記少なくとも１つのコンテンツは、前記制御レーティング優先度及び前記少なくとも１つのコンテンツレーティングに少なくとも部分的に基づいてフィルタリングされる、モバイルデバイスと関連づけられた通信を容易にする無線通信装置。
［Ｃ１９］
前記少なくとも１つのコンテンツレーティングは、予め定義されたコンテンツレーティング基準に少なくとも部分的に基づいて決定され、前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ１８に記載の無線通信装置。
［Ｃ２０］
制御レーティング優先度メニューにおける前記制御レーティング優先度に関連するセキュリティコードを受信するための手段と、
制御レーティング優先度パラメータにアクセスするための手段と、
予め定義された制御レーティング基準に少なくとも部分的に基づいて前記制御レーティング優先度を設定するための手段と、をさらに備えるＣ１８に記載の無線通信装置。
［Ｃ２１］
コンピュータプログラム製品であって、
モバイルデバイスと関連づけられた制御レーティング優先度を設定することを少なくとも１つのコンピュータに行わせるための符号と、
少なくとも１つのコンテンツを備える少なくとも１つのメッセージを少なくとも１つのコンテンツプロバイダから受信することを少なくとも１つのコンピュータに行わせるための符号と、を備えるコンピュータによって読み取り可能な媒体を備え、前記少なくとも1つのメッセージは、前記少なくとも1つのコンテンツと関連づけられた少なくとも１つのコンテンツレーティングを備え、前記少なくとも1つのコンテンツは、前記制御レーティング優先度及び前記少なくとも1つのコンテンツレーティングに少なくとも部分的に基づいてフィルタリングされる、コンピュータプログラム製品。
［Ｃ２２］
制御レーティング優先度メニューにおける前記制御レーティング優先度に関連するセキュリティコードを受信することを少なくとも１つのコンピュータに行わせるための符号と、
制御レーティング優先度パラメータにアクセスすることを少なくとも１つのコンピュータに行わせるための符号と、
予め定義された制御レーティング基準に少なくとも部分的に基づいて前記制御レーティング優先度を設定することを少なくとも１つのコンピュータに行わせるための符号と、を備えるコンピュータによって読み取り可能な媒体、をさらに備えるＣ２１に記載のコンピュータプログラム製品。
［Ｃ２３］
セキュリティが確保されたコンテンツフォルダに関連するセキュリティコードを受信することを少なくとも１つのコンピュータに行わせるための符号と、
前記受信されたセキュリティコードが有効である場合に前記セキュリティが確保されたコンテンツフォルダにアクセスすることを少なくとも１つのコンピュータに行わせるための符号と、
前記セキュリティが確保されたコンテンツフォルダから少なくとも１つのその他のコンテンツを受信することを少なくとも１つのコンピュータに行わせるための符号と、を備えるコンピュータによって読み取り可能な媒体をさらに備え、前記少なくとも１つのその他のコンテンツは、前記コンテンツレーティング優先度及び前記少なくとも１つのその他のコンテンツと関連づけられた少なくとも1つのその他のコンテンツレーティングに少なくとも部分的に基づいてフィルタリングされて排除され、前記セキュリティが確保されたコンテンツフォルダに格納され、前記少なくとも1つのその他のコンテンツ及び前記少なくとも1つのその他のコンテンツレーティングは、少なくとも１つのその他のメッセージ内に含められるＣ２１に記載のコンピュータプログラム製品。
［Ｃ２４］
前記少なくとも1つのコンテンツと前記少なくとも1つのコンテンツレーティングとを備える前記少なくとも1つのメッセージを前記少なくとも1つのコンテンツプロバイダから受信することを少なくとも１つのコンピュータに行わせるための符号と、
前記少なくとも１つのコンテンツを評価することを少なくとも１つのコンピュータに行わせるための符号と、
前記少なくとも1つのコンテンツレーティングが前記コンテンツレーティング優先度の値よりも高い値を有する場合に前記少なくとも1つのコンテンツをフィルタリングして排除すること、又は
前記少なくとも1つのコンテンツレーティングが前記コンテンツレーティング優先度の前記値と同じであるか又はより低い値を有する場合に前記少なくとも1つのコンテンツを提示することのうちの少なくとも１つを行うことを少なくとも１つのコンピュータに行わせるための符号と、を備えるコンピュータによって読み取り可能な媒体、をさらに備えるＣ２１に記載のコンピュータプログラム製品。
［Ｃ２５］
前記少なくとも１つのコンテンツレーティングは、予め定義されたコンテンツレーティング基準に少なくとも部分的に基づいて決定され、前記予め定義されたコンテンツレーティング基準は、コンテンツ内の言葉の性質、オーディオコンテンツの性質、又はビジュアルコンテンツの性質のうちの少なくとも１つにさらに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ２１に記載のコンピュータプログラム製品。
［Ｃ２６］
無線通信システムにおいて、
モバイルデバイスと関連づけられた制御レーティング優先度を確立し、及び
少なくとも１つのコンテンツを備える少なくとも１つのメッセージを少なくとも１つのコンテンツプロバイダから受信するように構成されたプロセッサを備え、前記少なくとも１つのメッセージは、前記少なくとも１つのコンテンツと関連づけられた少なくとも１つのコンテンツレーティングを備え、前記少なくとも１つのコンテンツは、前記制御レーティング優先度及び前記少なくとも１つのコンテンツレーティングに少なくとも部分的に基づいてフィルタリングされる、装置。
［Ｃ２７］
前記プロセッサは、
制御レーティング優先度メニューにおける前記制御レーティング優先度に関連するセキュリティコードを受信し、
制御レーティング優先度パラメータにアクセスし、及び
予め定義された制御レーティング基準に少なくとも部分的に基づいて前記制御レーティング優先度を設定するようにさらに構成されるＣ２６に記載の装置。
［Ｃ２８］
モバイルデバイスと関連づけられた通信を容易にする方法であって、
少なくとも１つのコンテンツプロバイダから少なくとも１つのモバイルデバイスに送信されている少なくとも１つのメッセージにおいて受信された少なくとも１つのコンテンツを評価することであって、前記少なくとも１つのメッセージは、前記少なくとも１つのコンテンツと関連づけられた少なくとも１つのコンテンツレーティングを備えることと、
前記少なくとも１つのコンテンツレーティング及び前記少なくとも１つのモバイルデバイスと関連づけられた少なくとも１つのコンテンツレーティング優先度に少なくとも部分的に基づいて前記少なくとも１つのコンテンツをフィルタリングすること、とを備える、モバイルデバイスと関連づけられた通信を容易にする方法。
［Ｃ２９］
前記少なくとも１つのモバイルデバイスと関連づけられた前記少なくとも１つのコンテンツレーティング優先度に関連する少なくとも１つのセキュリティコードを受信することと、
前記少なくとも１つのセキュリティコードが有効であるかどうかを決定することを容易にするために前記少なくとも１つのセキュリティコードを評価することと、
前記少なくとも１つのコンテンツレーティング優先度と前記制御レーティング優先度を設定することに関連するコマンドとを備えるメッセージを前記少なくとも１つのモバイルデバイスから受信することであって、前記メッセージは、修正されたショートメッセージサービス（ＳＭＳ）メッセージであり、前記制御レーティング優先度は、追加のショートメッセージサービス（ＳＭＳ）レーティング優先度パラメータ又は追加の拡張メッセージングサービス（ＥＭＳ）レーティング優先度ヘッダのうちの少なくとも１つに含められることと、
前記少なくとも１つのセキュリティコードが有効であると決定された場合に、前記少なくとも１つのモバイルデバイスと関連づけられた少なくとも１つのコンテンツレーティング優先度パラメータを前記少なくとも１つのコンテンツレーティング優先度に設定することと、
前記少なくとも１つのセキュリティコードが有効であると決定された場合に前記少なくとも１つのコンテンツレーティング優先度を格納すること、とをさらに備えるＣ２８に記載の方法。
［Ｃ３０］
少なくとも１つのセキュリティコードを受信することは、
コアネットワークと通信中の前記少なくとも１つのモバイルデバイス、前記コアネットワークと関連づけられたウェブサイト、又は前記コアネットワークと関連づけられた担当者への音声呼のうちの少なくとも１つを介して前記少なくとも１つのセキュリティコードを受信することをさらに備えるＣ２９に記載の方法。
［Ｃ３１］
前記少なくとも１つのモバイルデバイスと関連づけられた前記少なくとも１つのセキュリティが確保されたコンテンツフォルダに関連する少なくとも１つのセキュリティコードを受信することと、
前記少なくとも１つのセキュリティコードが有効であるかどうかを決定することを容易にするために前記少なくとも１つのセキュリティコードを評価することと、
前記少なくとも１つのセキュリティコードが有効である場合に前記少なくとも１つのセキュリティが確保されたコンテンツフォルダにアクセスすることと、
少なくとも１つのフィルタリングされて排除されたコンテンツを取り出すことと、
前記少なくとも１つのフィルタリングされて排除されたコンテンツを前記少なくとも１つのモバイルデバイス又は前記少なくとも１つのモバイルデバイスと関連づけられた少なくとも１つのユーザと関連づけられた少なくとも１つのその他の通信デバイスのうちの少なくとも１つに提供すること、とをさらに備えるＣ２８に記載の方法。
［Ｃ３２］
前記少なくとも１つのコンテンツをフィルタリングすることは、
前記少なくとも１つのコンテンツレーティングが前記コンテンツレーティング優先度の値よりも高い値を有する場合に前記少なくとも１つのコンテンツをフィルタリングして排除すること、又は
前記少なくとも１つのコンテンツレーティングが前記コンテンツレーティング優先度の前記値と同じであるか又はより低い値を有する場合に前記少なくとも１つのコンテンツを前記少なくとも１つのモバイルデバイスに提示することのうちの少なくとも１つをさらに備えるＣ２８に記載の方法。
［Ｃ３３］
前記少なくとも１つのメッセージを前記少なくとも１つのコンテンツプロバイダから受信することをさらに備え、前記少なくとも１つのメッセージは、追加のショートメッセージサービス（ＳＭＳ）レーティングパラメータ、追加の拡張メッセージングサービス（ＥＭＳ）レーティングヘッダ、又は前記少なくとも１つのメッセージの前記本体内のレーティングフィールドのうちの少なくとも１つに含められる前記少なくとも１つのコンテンツレーティングを備える修正されたショートメッセージサービス（ＳＭＳ）メッセージであり、前記レーティングフィールドは、１つ以上のキーワードによって特定されるＣ２８に記載の方法。
［Ｃ３４］
前記制御レーティング優先度に関連する問い合わせとコマンドとを備えるメッセージを前記少なくとも１つのモバイルデバイスから受信することであって、前記メッセージは、修正されたショートメッセージサービス（ＳＭＳ）メッセージであり、前記問い合わせは、追加のショートメッセージサービス（ＳＭＳ）問い合わせパラメータ又は追加の拡張メッセージングサービス（ＥＭＳ）問い合わせヘッダのうちの少なくとも１つに含められることと、
前記問い合わせに少なくとも部分的に基づいて前記少なくとも１つのモバイルデバイスと関連づけられた前記制御レーティング優先度の現在値を取り出すことと、
前記問い合わせに応答して前記制御レーティング優先度の前記現在値を含む他のメッセージを前記少なくとも１つのモバイルデバイスに送信すること、とをさらに備えるＣ２８に記載の方法。
［Ｃ３５］
少なくとも１つのレーティングされていないコンテンツを備える少なくとも１つのその他のメッセージを少なくとも１つのその他のコンテンツプロバイダから受信することと、
前記少なくとも１つのレーティングされていないコンテンツを評価することと、
予め定義されたコンテンツレーティング基準に少なくとも部分的に基づいて前記少なくとも１つのレーティングされていないコンテンツのコンテンツレーティングを決定することと、
前記決定されたコンテンツレーティングが前記コンテンツレーティング優先度の値よりも高い値を有する場合に前記少なくとも１つのレーティングされていないコンテンツをフィルタリングして排除すること、又は
前記決定されたコンテンツレーティングが前記コンテンツレーティング優先度の前記値と同じであるか又はより低い値を有する場合に前記少なくとも１つのレーティングされていないコンテンツを前記少なくとも１つのモバイルデバイスに提示することのうちの少なくとも１つと、をさらに備えるＣ２８に記載の方法。
［Ｃ３６］
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ３５に記載の方法。
［Ｃ３７］
少なくとも１つのレーティングされていないコンテンツを備える少なくとも１つのその他のメッセージを少なくとも１つのその他のコンテンツプロバイダから受信することと、
前記少なくとも１つのモバイルデバイスと関連づけられた少なくとも１つの連絡先リストを再検討することと、
前記少なくとも１つのその他のコンテンツプロバイダが前記少なくとも１つの連絡先リストに含まれていない場合に前記少なくとも１つのレーティングされていないコンテンツをフィルタリングして排除すること、又は
前記少なくとも１つのその他のコンテンツプロバイダが前記少なくとも１つの連絡先リストに含まれている場合に前記少なくとも１つのレーティングされていないコンテンツを前記少なくとも１つのモバイルデバイスに提示することのうちの少なくとも１つと、をさらに備えるＣ２８に記載の方法。
［Ｃ３８］
無線通信装置であって、
少なくとも１つのコンテンツプロバイダから少なくとも１つのモバイルデバイスに送信されている少なくとも１つのメッセージにおいて受信された少なくとも１つのコンテンツの評価、及び
前記少なくとも１つのコンテンツと関連づけられた前記少なくとも１つのコンテンツレーティング及び前記少なくとも１つのモバイルデバイスと関連づけられた少なくとも１つのコンテンツレーティング優先度に少なくとも部分的に基づいた前記少なくとも１つのコンテンツのフィルタリングに関連する命令を保持するメモリと、
前記メモリ内に保持された前記命令を実行するように構成された、前記メモリに結合されたプロセッサと、を備え、前記少なくとも１つのメッセージは、前記少なくとも１つのコンテンツレーティングを備え、前記少なくとも１つのコンテンツレーティングは、前記予め定義されたコンテンツレーティング基準に少なくとも部分的に基づく、無線通信装置。
［Ｃ３９］
前記メモリは、
前記少なくとも１つのモバイルデバイスと関連づけられた前記少なくとも１つのコンテンツレーティング優先度に関連する少なくとも１つのセキュリティコードの受信、
前記少なくとも１つのセキュリティコードが有効であるかどうかを決定することを容易にするための前記少なくとも１つのセキュリティコードの評価、
前記少なくとも１つのモバイルデバイスからの前記少なくとも１つのコンテンツレーティング優先度の受信、
前記少なくとも１つのセキュリティコードが有効であると決定された場合における、前記少なくとも１つのモバイルデバイスと関連づけられた少なくとも１つのコンテンツレーティング優先度パラメータの前記少なくとも１つのコンテンツレーティング優先度への設定、及び
前記少なくとも１つのセキュリティコードが有効であると決定された場合における前記少なくとも１つのコンテンツレーティング優先度の格納に関連する命令をさらに保持するＣ３８に記載の無線通信装置。
［Ｃ４０］
モバイルデバイスと関連づけられた通信を容易にするにする無線通信装置であって、
少なくとも１つのコンテンツプロバイダから少なくとも１つのモバイルデバイスに送信されている少なくとも１つのメッセージにおいて受信された少なくとも１つのコンテンツを評価するための手段と、
前記少なくとも１つのコンテンツと関連づけられた前記少なくとも１つのコンテンツレーティング及び前記少なくとも１つのモバイルデバイスと関連づけられた少なくとも１つのコンテンツレーティング優先度に少なくとも部分的に基づいて前記少なくとも１つのコンテンツをフィルタリングするための手段と、を備え、前記少なくとも１つのメッセージは、前記少なくとも１つのコンテンツレーティングを備え、前記少なくとも１つのコンテンツレーティングは、予め定義されたコンテンツレーティング基準に少なくとも部分的に基づく、モバイルデバイスと関連づけられた通信を容易にする無線通信装置。
［Ｃ４１］
前記少なくとも１つのモバイルデバイスと関連づけられた前記少なくとも１つのコンテンツレーティング優先度に関連する少なくとも１つのセキュリティコードを受信するための手段と、
前記少なくとも１つのセキュリティコードが有効であるかどうかを決定することを容易にするために前記少なくとも１つのセキュリティコードを評価するための手段と、
前記少なくとも１つのコンテンツレーティング優先度を前記少なくとも１つのモバイルデバイスから受信するための手段と、
前記少なくとも１つのセキュリティコードが有効であると決定された場合に、前記少なくとも１つのモバイルデバイスと関連づけられた少なくとも１つのコンテンツレーティング優先度パラメータを前記少なくとも１つのコンテンツレーティング優先度に設定するための手段と、
前記少なくとも１つのセキュリティコードが有効であると決定された場合に前記少なくとも１つのコンテンツレーティング優先度を格納するための手段と、をさらに備えるＣ４０に記載の無線通信装置。
［Ｃ４２］
コンピュータプログラム製品であって、
少なくとも１つのコンテンツプロバイダから少なくとも１つのモバイルデバイスに送信されている少なくとも１つのメッセージにおいて受信された少なくとも１つのコンテンツを評価することを少なくとも１つのコンピュータに行わせるための符号と、
前記少なくとも１つのコンテンツと関連づけられた前記少なくとも１つのコンテンツレーティング及び前記少なくとも１つのモバイルデバイスと関連づけられた少なくとも１つのコンテンツレーティング優先度に少なくとも部分的に基づいて前記少なくとも１つのコンテンツをフィルタリングすることを少なくとも１つのコンピュータに行わせるための符号と、を備えるコンピュータによって読み取り可能な媒体を備え、前記少なくとも１つのメッセージは、前記少なくとも１つのコンテンツレーティングを備え、前記少なくとも１つのコンテンツレーティングは、予め定義されたコンテンツレーティング基準に少なくとも部分的に基づく、コンピュータプログラム製品。
［Ｃ４３］
前記少なくとも１つのモバイルデバイスと関連づけられた前記少なくとも１つのコンテンツレーティング優先度に関連する少なくとも１つのセキュリティコードを受信することを少なくとも１つのコンピュータに行わせるための符号と、
前記少なくとも１つのセキュリティコードが有効であるかどうかを決定することを容易にするために前記少なくとも１つのセキュリティコードを評価することを少なくとも１つのコンピュータに行わせるための符号と、
前記少なくとも１つのモバイルデバイスから前記少なくとも１つのコンテンツレーティング優先度を受信することを少なくとも１つのコンピュータに行わせるための符号と、
前記少なくとも１つのセキュリティコードが有効であると決定された場合に、前記少なくとも１つのモバイルデバイスと関連づけられた少なくとも１つのコンテンツレーティング優先度パラメータを前記少なくとも１つのコンテンツレーティング優先度に設定することを少なくとも１つのコンピュータに行わせるための符号と、
前記少なくとも１つのセキュリティコードが有効であると決定された場合に前記少なくとも１つのコンテンツレーティング優先度を格納することを少なくとも１つのコンピュータに行わせるための符号と、備えるコンピュータによって読み取り可能な媒体、をさらに備えるＣ４２に記載のコンピュータプログラム製品。
［Ｃ４４］
前記少なくとも１つのモバイルデバイスと関連づけられた前記少なくとも１つのセキュリティが確保されたコンテンツフォルダに関連する少なくとも１つのセキュリティコードを受信することを少なくとも１つのコンピュータに行わせるための符号と、
前記少なくとも１つのセキュリティコードが有効であるかどうかを決定することを容易にするために前記少なくとも１つのセキュリティコードを評価することを少なくとも１つのコンピュータに行わせるための符号と、
前記少なくとも１つのセキュリティコードが有効である場合に前記少なくとも１つのセキュリティが確保されたコンテンツフォルダにアクセスすることを少なくとも１つのコンピュータに行わせるための符号と、
少なくとも１つのフィルタリングされて排除されたコンテンツを取り出すことを少なくとも１つのコンピュータに行わせるための符号と、
前記少なくとも１つのフィルタリングされて排除されたコンテンツを前記少なくとも１つのモバイルデバイス又は前記少なくとも１つのモバイルデバイスと関連づけられた少なくとも１つのユーザと関連づけられた少なくとも１つのその他の通信デバイスのうちの少なくとも１つに提供することを少なくとも１つのコンピュータに行わせるための符号と、を備えるコンピュータによって読み取り可能な媒体、をさらに備えるＣ４２に記載のコンピュータプログラム製品。
［Ｃ４５］
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ４２に記載のコンピュータプログラム製品。
［Ｃ４６］
無線通信システムにおいて、
少なくとも１つのコンテンツプロバイダから少なくとも１つのモバイルデバイスに送信されている少なくとも１つのメッセージにおいて受信された少なくとも１つのコンテンツを評価し、及び
前記少なくとも１つのコンテンツと関連づけられた前記少なくとも１つのコンテンツレーティング及び前記少なくとも１つのモバイルデバイスと関連づけられた少なくとも１つのコンテンツレーティング優先度に少なくとも部分的に基づいて前記少なくとも１つのコンテンツをフィルタリングするように構成されたプロセッサ、を備え、前記少なくとも１つのメッセージは、前記少なくとも１つのコンテンツレーティングを備え、前記少なくとも１つのコンテンツレーティングは、予め定義されたコンテンツレーティング基準に少なくとも部分的に基づく、装置。
［Ｃ４７］
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ４６に記載の装置。
［Ｃ４８］
モバイルデバイスと関連づけられた通信を容易にする方法であって、
予め定義されたコンテンツレーティング基準に少なくとも部分的に基づいてコンテンツのためのコンテンツレーティングを決定することと、
前記コンテンツを提供するコンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入すること、とを備える、モバイルデバイスと関連づけられた通信を容易にする方法。
［Ｃ４９］
前記メッセージは、追加のショートメッセージサービス（ＳＭＳ）レーティングパラメータ、追加の拡張メッセージングサービス（ＥＭＳ）レーティングヘッダ、又は前記少なくとも１つのメッセージの前記本体内のレーティングフィールドのうちの少なくとも１つに含められる前記コンテンツレーティングを備える修正されたショートメッセージサービス（ＳＭＳ）メッセージであり、前記レーティングフィールドは、１つ以上のキーワードによって特定されるＣ４８に記載の方法。
［Ｃ５０］
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ４８に記載の方法。
［Ｃ５１］
無線通信装置であって、
予め定義されたコンテンツレーティング基準に少なくとも部分的に基づいたコンテンツのためのコンテンツレーティングの生成、及び
前記コンテンツを提供するコンテンツプロバイダによって少なくとも１つのモバイルデバイスに送信されたコンテンツをフィルタリングすることを容易にするための前記少なくとも１つのモバイルデバイスに送信されるメッセージ内への前記コンテンツ及び前記コンテンツレーティングの挿入に関連する命令を保持するメモリと、
前記メモリ内に保持された前記命令を実行するように構成された、前記メモリに結合されたプロセッサと、を備える、無線通信装置。
［Ｃ５２］
モバイルデバイスと関連づけられた通信を容易にする無線通信装置であって、
予め定義されたコンテンツレーティング基準に少なくとも部分的に基づいてコンテンツのためのコンテンツレーティングを決定するための手段と、
前記コンテンツを提供するコンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入するための手段と、を備える、モバイルデバイスと関連づけられた通信を容易にする無線通信装置。
［Ｃ５３］
コンピュータプログラム製品であって、
予め定義されたコンテンツレーティング基準に少なくとも部分的に基づいてコンテンツのためのコンテンツレーティングを生成することを少なくとも１つのコンピュータに行わせるための符号と、
前記コンテンツを提供するコンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入することを少なくとも１つのコンピュータに行わせるための符号と、を備えるコンピュータによって読み取り可能な媒体、を備える、コンピュータプログラム製品。
［Ｃ５４］
前記予め定義されたコンテンツレーティング基準は、コンテンツ内の言葉の性質、オーディオコンテンツの性質、又はビジュアルコンテンツの性質のうちの少なくとも１つに関連し、成人向け度がより高いコンテンツは、前記予め定義されたコンテンツレーティング基準に少なくとも部分的に基づいて成人向け度がより低いコンテンツよりも高いコンテンツレーティングが与えられるＣ５３に記載のコンピュータプログラム製品。
［Ｃ５５］
無線通信システムにおいて、
予め定義されたコンテンツレーティング基準に少なくとも部分的に基づいてコンテンツのためのコンテンツレーティングを決定し、及び
前記コンテンツを提供するコンテンツプロバイダによって少なくとも１つのモバイルデバイスに送信されたコンテンツをフィルタリングすることを容易にするために前記少なくとも１つのモバイルデバイスに送信されるメッセージ内に前記コンテンツ及び前記コンテンツレーティングを挿入するように構成されたプロセッサを備える、装置。